(57)【要約】【課題】スイッチのはんだ付けや結線作業あるいは表示銘板の取り付けというような機械的な作業を要することなくかご内操作盤に所要の機能をもつスイッチを設けることができるエレベータのスイッチ装置を提供する。【解決手段】エレベータのかご内操作盤１のスイッチボックス４内にタッチパネル式液晶ディスプレイ１６を設ける。スイッチボックス４内の安全面に関するスイッチは機械式のスイッチ１５とし、オプション仕様で使用されるスイッチ１６ａはタッチパネル式液晶ディスプレイ１６に設け、そのスイッチ１６ａの用途や機能を示す表示文字などをその液晶ディスプレイ１６に表示する。そしてタッチパネル式液晶ディスプレイ１６上のスイッチ１６ａを指先で操作して所定の設定を行なう。【選択図】    図１
2007084277.tif 000002
【特許請求の範囲】
【請求項１】
エレベータのかご内操作盤のスイッチボックスに配設するための少なくとも１つのスイッチをタッチパネル式液晶ディスプレイに設け、このタッチパネル式液晶ディスプレイを前記スイッチボックス内に設置してなることを特徴とするエレベータのスイッチ装置。
【請求項２】
エレベータのかご内操作盤のスイッチボックスに配設するための少なくとも１つのスイッチを液晶ディスプレイに設け、この液晶ディスプレイおよび前記スイッチを操作するための操作部を前記スイッチボックス内に設置してなることを特徴とするエレベータのスイッチ装置。
【請求項３】
エレベータのかご内操作盤のインジケータ部に液晶ディスプレイを設け、この液晶ディスプレイの画面を切替えるためのスイッチ、およびその画面に表示されるスイッチを操作するための操作部を前記かご内操作盤のスイッチボックス内に設け、前記画面切替え用のスイッチを操作して前記液晶ディスプレイに所要のスイッチを表示させ、その表示させたスイッチを前記操作部を介して操作することが可能なことを特徴とするエレベータのスイッチ装置。
【請求項４】
エレベータのかご内操作盤のスイッチボックスに配設するための複数のスイッチをそれぞれタッチパネル式液晶ディスプレイで構成し、これらタッチパネル式液晶ディスプレイを前記スイッチボックス内に並べて設け、その各タッチパネル式液晶ディスプレイのスイッチの用途をそれぞれその液晶ディスプレイに表示し、その表示をスイッチの用途の変更に応じて変更することが可能としてあることを特徴とするエレベータのスイッチ装置。
【請求項５】
エレベータのかご内操作盤にタッチパネル式液晶ディスプレイを設け、このタッチパネル式液晶ディスプレイに、エレベータのかごに設置されているかご付設機器に関する設定用のスイッチを表示させてその操作を可能にしてあることを特徴とするエレベータのスイッチ装置。
【請求項６】
前記かご付設機器が、エレベータのかごに設置されているクーラーであることを特徴とする請求項５に記載のエレベータのスイッチ装置。
【請求項７】
前記かご付設機器が、エレベータのかごに設置されている照明装置であることを特徴とする請求項５に記載のエレベータのスイッチ装置。
【請求項８】
前記かご付設機器が、エレベータのかごに設置されている音声案内装置であることを特徴とする請求項５に記載のエレベータのスイッチ装置。
【請求項９】
前記かご付設機器が、エレベータのかごに設置されている床暖房装置であることを特徴とする請求項５に記載のエレベータのスイッチ装置。
【請求項１０】
前記かご付設機器に関する設定用のスイッチが操作されたときに、その設定条件を記憶する記憶手段を有することを特徴とする請求項５に記載のエレベータのスイッチ装置。
【請求項１１】
請求項１ないし５のいずれかに記載の液晶ディスプレイのスイッチが設定操作されたときにその設定状況を音声で報知する報知手段を有することを特徴とする請求項１ないし５のいずれかに記載のエレベータのスイッチ装置。
【発明の詳細な説明】
【技術分野】
【０００１】
この発明は、エレベータのかご内操作盤に設けられ、各種の用途に用いられるスイッチを備えるエレベータのスイッチ装置に関する。
【背景技術】
【０００２】
エレベータのかご内に設けられるかご内操作盤の構成を図１５に示してあり、このかご内操作盤１は行先階登録用のボタン２やインジケータ部３を有すると共に下部にスイッチボックス４が設けられている。
【０００３】
スイッチボックス４はその前面が開閉可能な蓋カバー６で閉じられ、内部には図１６に示すように、オンオフ切替え用のトグル式スイッチ７や押しボタン式スイッチ８が組み込まれ、これらスイッチ７，８の操作に応じる信号が図１７に示す接続径路１０を通し、かご上ダクトボックス１１を経由して制御盤１２に送られ、エレベータの種々の設定やオプション仕様の設定に使用される。  
一般に、スイッチボックス４内に設けられる各スイッチ７，８は基板にそのスイッチ７，８を実装する形態で組み込まれている。
【０００４】
また、エレベータのかごには、仕様によりクーラー、照明装置、音声案内装置、床暖房装置などが設置され、その各装置のコントローラーがかご内に設けられる。従来、かご内に設けられるコントローラーは、かご内操作盤１のスイッチボックス４内に収納するか、あるいは昇降路用品と干渉しない位置においてかごの側板に専用ボックスを設け、その専用ボックス内に収納するようにしている。
【発明の開示】
【発明が解決しようとする課題】
【０００５】
スイッチボックス内には各用途に使用される多種類のスイッチやオプション仕様により追加される様々のスイッチが設けられるが、従来ではその都度、設計段階でスイッチの取付け形態を立案し、またその各スイッチの表示銘板を作製し、製造現場において、設計指示に基づいて各スイッチのはんだ付けやスイッチの接続の作業を行ない、またその各スイッチに対応する表示銘板を取り付けるようにしており、このため作業が煩雑かつ面倒で作業能率が低下する。
【０００６】
さらに、エレベータを現地に据付けた後に、仕様変更によりオプションスイッチの追加や削除などが発生したときには、現地においてスイッチ基板の付け替え、スイッチの結線、表示銘板の貼り替えなどの機械的な様々な作業を要し、作業能率が低下する。
【０００７】
また従来では、かごにクーラー、照明装置、音声案内装置、床暖房装置などが設置される場合に、そのコントローラーをかご内操作盤のスイッチボックス内に収納し、あるいはかごの側板に専用ボックスを設けてその内部に収納するようにしており、このためかご内操作盤のスイッチボックス内にその収納用の大きなスペースを確保したり、かごに専用ボックスを設置する必要があり、その設計や製造に手数がかかり、エレベータの製造リードタイムが増加するという問題がある。
【０００８】
この発明はこのような点に着目してなされたもので、スイッチのはんだ付けや結線作業あるいは表示銘板の取り付けというような機械的な作業を要することなくかご内操作盤に所要の機能をもつスイッチを設けることができるエレベータのスイッチ装置を提供し、またクーラー、照明装置、音声案内装置、床暖房装置などのかご付設機器に対する設定操作をコントローラーを用いることなく行なうことができるエレベータのスイッチ装置を提供することを目的とする。
【課題を解決するための手段】
【０００９】
請求項１の発明は、エレベータのかご内操作盤のスイッチボックスに配設するための少なくとも１つのスイッチをタッチパネル式液晶ディスプレイに設け、このタッチパネル式液晶ディスプレイを前記スイッチボックス内に設置してなることを特徴としている。
【００１０】
請求項２の発明は、エレベータのかご内操作盤のスイッチボックスに配設するための少なくとも１つのスイッチを液晶ディスプレイに設け、この液晶ディスプレイおよび前記スイッチを操作するための操作部を前記スイッチボックス内に設置してなることを特徴としている。
【００１１】
請求項３の発明は、エレベータのかご内操作盤のインジケータ部に液晶ディスプレイを設け、この液晶ディスプレイの画面を切替えるためのスイッチ、およびその画面に表示されるスイッチを操作するための操作部を前記かご内操作盤のスイッチボックス内に設け、前記画面切替え用のスイッチを操作して前記液晶ディスプレイに所要のスイッチを表示させ、その表示させたスイッチを前記操作部を介して操作することが可能なことを特徴としている。
【００１２】
請求項４の発明は、エレベータのかご内操作盤のスイッチボックスに配設するための複数のスイッチをそれぞれタッチパネル式液晶ディスプレイで構成し、これらタッチパネル式液晶ディスプレイを前記スイッチボックス内に並べて設け、その各タッチパネル式液晶ディスプレイのスイッチの用途をそれぞれその液晶ディスプレイに表示し、その表示をスイッチの用途の変更に応じて変更することが可能としてあることを特徴としている。
【００１３】
請求項５の発明は、エレベータのかご内操作盤にタッチパネル式液晶ディスプレイを設け、このタッチパネル式液晶ディスプレイに、エレベータのかごに設置されているかご付設機器に関する設定用のスイッチを表示させてその操作を可能にしてあることを特徴としている。
【００１４】
請求項６の発明は、前記かご付設機器が、エレベータのかごに設置されているクーラーであることを特徴としている。
【００１５】
請求項７の発明は、前記かご付設機器が、エレベータのかごに設置されている照明装置であることを特徴としている。
【００１６】
請求項８の発明は、前記かご付設機器が、エレベータのかごに設置されている音声案内装置であることを特徴としている。
【００１７】
請求項９の発明は、前記かご付設機器が、エレベータのかごに設置されている床暖房装置であることを特徴としている。
【００１８】
請求項１０の発明は、前記かご付設機器に関する設定用のスイッチが操作されたときに、その設定条件を記憶する記憶手段を有することを特徴としている。
【００１９】
請求項１１の発明は、請求項１ないし５のいずれかに記載の液晶ディスプレイのスイッチが設定操作されたときにその設定状況を音声で報知する報知手段を有することを特徴としている。
【発明の効果】
【００２０】
この発明によれば、スイッチのはんだ付けや結線作業あるいは表示銘板の取り付けというような機械的な作業を要することなくかご内操作盤に所要の機能をもつスイッチを設けることができ、またクーラー、照明装置、音声案内装置、床暖房装置などのかご付設機器に対する設定操作をコントローラーを用いることなく行なうことができ、したがってそのコントローラーの収納用スペースの確保が不要となる。
【発明を実施するための最良の形態】
【００２１】
以下、この発明の実施形態について図１ないし図１４を参照して説明する。
【００２２】
図１には第１の実施形態を示してあり、かご内操作盤１のスイッチボックス４内には機械式のスイッチ１５と共にタッチパネル式液晶ディスプレイ１６が設けられている。機械式のスイッチ１５は安全面に関わるかごのアップダウン用や点検用の標準用途のスイッチであり、その他のオプション仕様で使用される複数のスイッチ１６ａがタッチパネル式液晶ディスプレイ１６に表示されている。タッチパネル式液晶ディスプレイ１６には画面を切替えて用途の異なるスイッチ１６ａを画面に表示させる切替えスイッチ１６ｂが設けられている。
【００２３】
タッチパネル式液晶ディスプレイ１６には所定のプログラムが組み込まれており、そのプログラムに基づいてタッチパネル式液晶ディスプレイ１６にスイッチ１６ａと共にそのスイッチ１６ａの用途や機能などが表示され、その表示に従ってスイッチ１６ａを指先で操作することにより、図１７に示す接続径路１０を通し、かご上ダクトボックス１１を経由してその信号が制御盤１２に送られ、所定の設定が達成される。
【００２４】
このような構成によれば、タッチパネル式液晶ディスプレイ１６に表示されるスイッチ１６ａに関しては、スイッチのはんだ付けやその接続の作業、また表示銘板の製作やその取り付けが不要で、電気的なプログラムの入力作業のみでよく、このため製造上の工数が減少し、能率よくスイッチを配設することができる。
【００２５】
さらに、エレベータの据付後に仕様変更でスイッチの追加や削除が生じた場合でもプログラムソフトの改造のみで対応でき、従来のようなスイッチや表示銘板の製作や現地への搬送および据付後の交換作業が不要となる。
【００２６】
図２には第２の実施形態を示してあり、この実施形態においては前記第１の実施形態の場合と同様に、スイッチボックス４内には機械式のスイッチ１５と共にタッチパネル式液晶ディスプレイ１６が設けられ、機械式のスイッチ１５は安全面に関わるかごのアップダウン用や点検用の標準用途のスイッチで、その他のオプション仕様で使用されるスイッチ１６ａがタッチパネル式液晶ディスプレイ１６に表示されている。
【００２７】
そしてこの第２の実施形態においては、タッチパネル式液晶ディスプレイ１６の画面を切替えてその画面に用途の異なるスイッチ１６ａを表示させるための機械式の操作部としての操作キー２０がディスプレイ１６の下部側に設けられている。
【００２８】
この実施形態では操作キー２０を操作してタッチパネル式液晶ディスプレイ１６に所要のスイッチ１６ａを表示させ、そのスイッチ１６ａを指先で操作する。この操作に応じて、図１７に示す接続径路１０を通し、かご上ダクトボックス１１を経由してその信号が制御盤１２に送られ、所定の設定が達成される。
【００２９】
この実施形態においても、スイッチのはんだ付けやその接続の作業、また表示銘板の製作や取り付けが不要で、電気的なプログラムの入力作業のみでよく、このため製造上の工数が減少し、能率よくスイッチを配設することができる。
【００３０】
そして、タッチパネル式液晶ディスプレイ１６に表示されるスイッチ１６ａを切替える操作キー２０がそのタッチパネル式液晶ディスプレイ１６とは別個に設けられているから、タッチパネル式液晶ディスプレイ１６を小型に構成でき、省スペースの点で有利となる。
【００３１】
図３および図４には第３の実施形態を示してあり、この実施形態においては、図３に示すようにかご内操作盤１のインジケータ部３に液晶ディスプレイ２２が設けられ、この液晶ディスプレイ２２に複数のオプション仕様のスイッチ２２ａが表示されている。
【００３２】
そして図４に示すように、かご内操作盤１のスイッチボックス４内には安全面に関する機械式のスイッチ１５と共に前記液晶ディスプレイ２２の画面切替え用のスイッチ２３と、その液晶ディスプレイ２２に表示されるスイッチ２２ａを操作するための操作部としての操作キー２４とが設けられている。
【００３３】
この実施形態の場合には、画面切替え用のスイッチ２３を操作してインジケータ部３の液晶ディスプレイ２２の画面を切替え、所要のスイッチ２２ａを表示させる。そしてその表示された所要のスイッチ２２ａを操作キー２４を介して操作する。この操作に応じて、図１５に示す接続径路１０を通し、かご上ダクトボックス１１を経由してその信号が制御盤１２に送られ、所定の設定が達成される。
【００３４】
このような構成によれば、スイッチボックス４には、安全面に関するスイッチ１５以外には画面切替え用のスイッチ２３および操作キー２４のみを設置するだけでよく、このためスイッチボックス４を小型に構成でき、省スペース化を図ることができる。
【００３５】
従来、セキュリティーの面でスイッチボックス４の前面には鍵付きの蓋カバーを設けているが、前記画面切替え用のスイッチ２３および操作キー２４に暗証情報登録機能を付加すれば、その鍵付き蓋カバーを不要とでき、露出式の構成とすることも可能である。
【００３６】
図５には第４の実施形態を示してあり、この実施形態においては、スイッチボックス４内に小型のタッチパネル式液晶ディスプレイ２７が複数縦横に並ぶように設けられている。そしてこれらタッチパネル式液晶ディスプレイ２７が標準用途やオプション仕様で使用されるスイッチとして用いられる構成となっている。
【００３７】
そして、各タッチパネル式液晶ディスプレイ２７にはそのスイッチとしての用途や機能を表す文字や記号が表示されている。また、タッチパネル式液晶ディスプレイ２７を制御するプログラムを変更することによりそのスイッチの用途や機能およびその表示を変えることができるようになっている。
【００３８】
スイッチボックス４内の各タッチパネル式液晶ディスプレイ２７を指先で操作すると、図１７に示す接続径路１０を通し、かご上ダクトボックス１１を経由してその信号が制御盤１２に送られ、所定の設定が達成される。
【００３９】
このような構成によれば、スイッチのはんだ付けや接続作業、表示銘板の取り付けなどの作業を要することなく、タッチパネル式液晶ディスプレイ２７を所定の用途のスイッチとして用いることができ、またエレベータ据付後におけるスイッチ仕様の変更にもプログラムを変えるだけで容易に対応することができる。
【００４０】
図６および図７には第５の実施形態を示してある。この実施形態においては、図６に示すようにかごの上部にかご付設機器としてクーラー３０が設置されている。そして図７に示すように、かご内操作盤１のスイッチボックス４内にタッチパネル式液晶ディスプレイ３１が設けられている。このタッチパネル式液晶ディスプレイ３１には画面切替え用のスイッチ３２が設けられ、そのスイッチ３２を操作することによりクーラー３０の設定用の所要のスイッチ３１ａがタッチパネル式液晶ディスプレイ３１の画面に表示されるようになっている。なお、スイッチボックス４には前記タッチパネル式液晶ディスプレイ３１と併せて標準用途の機械式のスイッチ１５が設けられている。
【００４１】
この実施形態においては、タッチパネル式液晶ディスプレイ３１の画面を切替え、所要のスイッチ３１ａを表示させ、そのスイッチ３１ａを操作すると、図６に示す接続径路１０を通し、かご上ダクトボックス１１を経由してその信号が制御盤１２に送られる。そして、制御盤１２を介してクーラー３０に対する例えばオンオフ、温度調整、風向きなどの所定の設定が行なわれる。そして、その設定された温度や風向きの条件や設定の日付、時間などの設定条件が制御盤１２にマイクロコンピュータを介して記憶される。
【００４２】
前記タッチパネル式液晶ディスプレイ３１はクーラー３０に対するコントローラーとして機能するが、そのタッチパネル式液晶ディスプレイ３１がスイッチボックス４に組み込まれているから、スイッチボックス４内にコントローラーの収納用のスペースを確保したり、かごに専用のボックスを設けるようなことを不要とすることができる。
【００４３】
また、クーラー３０に対する設定条件が制御盤１２に記憶されるため、その記憶されている設定条件をエレベータの保守や点検後における再設定の際の情報として活用することができ、これにより設定ミスの発生を防止することができる。
【００４４】
なお、前記タッチパネル式液晶ディスプレイ３１はかご内操作盤１のインジケータ部３に設けるようにしてもよい。
【００４５】
図８および図９には第６の実施形態を示してあり、この実施形態においては、図８に示すようにかごの上部にかご付設機器として照明装置３５が設置されている。そして図９に示すように、かご内操作盤１のスイッチボックス４内にタッチパネル式液晶ディスプレイ３６が設けられている。このタッチパネル式液晶ディスプレイ３６には画面切替え用のスイッチ３７が設けられ、そのスイッチ３７を操作することにより照明装置３５の設定用の所要のスイッチ３６ａがタッチパネル式液晶ディスプレイ３６の画面に表示されるようになっている。  
なお、スイッチボックスには前記タッチパネル式液晶ディスプレイ３６と併せて標準仕様の機械式のスイッチ１５が設けられている。
【００４６】
この実施形態においては、タッチパネル式液晶ディスプレイ３６の画面を切替え、所要のスイッチ３６ａを表示させ、そのスイッチ３６ａを操作すると、図８に示す接続径路１０を通し、かご上ダクトボックス１１を経由してその信号が制御盤１２に送られる。そして、制御盤１２を介して照明装置３５に対する例えばオンオフ、明るさの調整などの設定が行なわれる。そして、その設定された明るさなどの条件や設定の日付、時間などの条件が制御盤１２にマイクロコンピュータを介して記憶される。
【００４７】
前記タッチパネル式液晶ディスプレイ３６は照明装置３５に対するコントローラーとして機能するが、そのタッチパネル式液晶ディスプレイ３６がスイッチボックス４に組み込まれているから、スイッチボックス４内にコントローラーの収納用のスペースを確保したり、かごに専用のボックスを設けるようなことを不要とすることができる。
【００４８】
また、照明装置３５に対する設定条件が制御盤１２に記憶されるため、その記憶されている設定条件をエレベータの保守や点検後における再設定の際の情報として活用することができ、これにより設定ミスの発生を防止することができる。
【００４９】
なお、前記タッチパネル式液晶ディスプレイ３６はかご内操作盤１のインジケータ部３に設けるようにしてもよい。
【００５０】
図１０および図１１には第７の実施形態を示してあり、この実施形態においては、図１０に示すようにかごの上部にかご付設機器として音声案内装置（スピーカー）４０が設置されている。そして図１１に示すように、かご内操作盤１のスイッチボックス４にタッチパネル式液晶ディスプレイ４１が設けられている。
【００５１】
このタッチパネル式液晶ディスプレイ４１には画面切替え用のスイッチ４２が設けられ、そのスイッチ４２を操作することにより音声案内装置４０の設定用の所要のスイッチ４１ａがタッチパネル式液晶ディスプレイ４１の画面に表示されるようになっている。なお、スイッチボックス４には前記タッチパネル式液晶ディスプレイ４１と併せて標準仕様の機械式のスイッチ１５が設けられている。
【００５２】
この実施形態においては、タッチパネル式液晶ディスプレイ４１の画面を切替え、所要のスイッチ４１ａを表示させ、そのスイッチ４１ａを操作すると、図１０に示す接続径路１０を通し、かご上ダクトボックス１１を経由してその信号が制御盤１２に送られる。そして、制御盤１２を介して音声案内装置４０に対する例えばオンオフ、音量調整などの設定が行なわれる。そして、その設定された音量などの条件や設定の日付、時間などの条件が制御盤１２にマイクロコンピュータを介して記憶される。
【００５３】
前記タッチパネル式液晶ディスプレイ４１は音声案内装置４０に対するコントローラーとして機能するが、そのタッチパネル式液晶ディスプレイ４１がスイッチボックス４に組み込まれているから、スイッチボックス４内にコントローラーの収納用のスペースを確保したり、かごに専用のボックスを設けるようなことを不要とすることができる。
【００５４】
また、音声案内装置４０に対する設定条件が制御盤１２に記憶されるため、その記憶されている設定条件をエレベータの保守や点検後における再設定の際の情報として活用することができ、これにより設定ミスの発生を防止することができる。
【００５５】
なお、前記タッチパネル式液晶ディスプレイ４１はかご内操作盤１のインジケータ部３に設けるようにしてもよい。
【００５６】
図１２および図１３には第８の実施形態を示してあり、この実施形態においては、図１２に示すようにかごの下部にかご付設機器として床暖房装置４５が設置されている。そして図１３に示すように、かご内操作盤１のスイッチボックス４内にタッチパネル式液晶ディスプレイ４６が設けられている。このタッチパネル式液晶ディスプレイ４６には画面切替え用のスイッチ４７が設けられ、そのスイッチ４７を操作することにより床暖房装置４５の設定用の所要のスイッチ４６ａがタッチパネル式液晶ディスプレイ４６に表示されるようになっている。なお、スイッチボックス４には前記タッチパネル式液晶ディスプレイ４６と併せて標準仕様の機械式のスイッチ１５が設けられている。
【００５７】
この実施形態においては、タッチパネル式液晶ディスプレイ４６の画面を切替え、所要のスイッチ４６ａを表示させ、そのスイッチ４６ａを操作すると、図１２に示す接続径路１０を通し、かご上ダクトボックス１１を経由してその信号が制御盤に送られる。そして、制御盤１２を介して床暖房装置４５に対する例えばオンオフ、温度調整などの設定が行なわれる。そして、その設定された温度などの条件や設定の日付、時間などの条件が制御盤１２にマイクロコンピュータを介して記憶される。
【００５８】
前記タッチパネル式液晶ディスプレイ４６は床暖房装置４５に対するコントローラーとして機能するが、そのタッチパネル式液晶ディスプレイ４６がスイッチボックス４に組み込まれているから、スイッチボックス４内にコントローラーの収納用のスペースを確保したり、かごに専用のボックスを設けるようなことを不要とすることができる。
【００５９】
また、床暖房装置４５に対する設定条件が制御盤１２に記憶されるため、その記憶されている設定条件をエレベータの保守や点検後における再設定の際の情報として活用することができ、これにより設定ミスの発生を防止することができる。
【００６０】
なお、前記タッチパネル式液晶ディスプレイ４６はかご内操作盤１のインジケータ部３に設けるようにしてもよい。
【００６１】
ところで、前記各液晶ディスプレイ１６，２２，２７，３１，３６，４１，４６に表示されるスイッチやその表示文字などの色をそのスイッチに対する設定の操作に応じて変化させるように構成することも可能である。
【００６２】
このように手段を採用すれば、その色の変化からスイッチによる設定の有無や内容などを明確に判別でき、エレベータの保守や点検時に現状の設定状況を容易に確認でき、誤操作を防止することができる。
【００６３】
また、図１４に示すように、かご内操作盤１にスピーカー５０を設け、前記各液晶ディスプレイ１６，２２，２７，３１，３６，４１，４６に表示されるスイッチを操作して所定の設定を行なった際に、その設定状況やエラー情報を前記スピーカー５０により音声により報知するように構成することも可能である。  
このような手段を採用すれば、設定ミスを防止し、保守や点検の効率を上げることができる。
【図面の簡単な説明】
【００６４】
【図１】この発明の第１の実施形態に係るスイッチ装置を示す正面図。
【図２】この発明の第２の実施形態に係るスイッチ装置を示す正面図。
【図３】この発明の第３の実施形態に係るスイッチ装置を示す正面図。
【図４】そのスイッチ装置の操作部分の正面図。
【図５】この発明の第４の実施形態に係るスイッチ装置を示す正面図。
【図６】この発明の第５の実施形態に係るスイッチ装置の全体の構成を示す構成図。
【図７】そのスイッチ装置の要部の構成を示す正面図。
【図８】この発明の第６の実施形態に係るスイッチ装置の全体の構成を示す構成図。
【図９】そのスイッチ装置の要部の構成を示す正面図。
【図１０】この発明の第７の実施形態に係るスイッチ装置の全体の構成を示す構成図。
【図１１】そのスイッチ装置の要部の構成を示す正面図。
【図１２】この発明の第８の実施形態に係るスイッチ装置の全体の構成を示す構成図。
【図１３】そのスイッチ装置の要部の構成を示す正面図。
【図１４】かご内操作盤にスピーカーを設け、そのスピーカーでスイッチの設定状況を報知する場合の例を示す正面図。
【図１５】かご内操作盤の一般的な構成を示す正面図。
【図１６】従来のスッチ装置を示す正面図。
【図１７】スイッチ装置の信号送信径路を示す構成図。
【符号の説明】
【００６５】
１…かご内操作盤
３…インジケータ部
１２…制御盤
１６…タッチパネル式液晶ディスプレイ
１６ａ…スイッチ
１６ｂ…スイッチ
２０…操作キー
２２…液晶ディスプレイ
２２ａ…スイッチ
２４…操作キー
２７…タッチパネル式液晶ディスプレイ
３０…クーラー
３１…タッチパネル式液晶ディスプレイ
３５…照明装置
３６…タッチパネル式液晶ディスプレイ
４０…音声案内装置
４１…タッチパネル式液晶ディスプレイ
４５…床暖房装置
４６…タッチパネル式液晶ディスプレイ
５０…スピーカー
【図１】
2007084277.tif 000003
【図２】
2007084277.tif 000004
【図３】
2007084277.tif 000005
【図４】
2007084277.tif 000006
【図５】
2007084277.tif 000007
【図６】
2007084277.tif 000008
【図７】
2007084277.tif 000009
【図８】
2007084277.tif 000010
【図９】
2007084277.tif 000011
【図１０】
2007084277.tif 000012
【図１１】
2007084277.tif 000013
【図１２】
2007084277.tif 000014
【図１３】
2007084277.tif 000015
【図１４】
2007084277.tif 000016
【図１５】
2007084277.tif 000017
【図１６】
2007084277.tif 000018
【図１７】
2007084277.tif 000019